(57)【要約】【課題】  特定人物に対し通話、メールの機能を起動する場合に比較的簡易な操作で実施可能とすることを目的とする。【解決手段】  特定人物の人物アイコンが登録された画面を表示し、表示された画面の人物アイコンが選択され、特定人物の選択後に、該特定人物に対する通話、メールの機能がそれぞれに割り付けられた該操作キーが操作されることにより、該特定人物に対する通話、メールの機能を起動する構成である。【選択図】  図２
2010051005.tif 000002
【特許請求の範囲】
【請求項１】
特定人物の人物アイコンが登録された画面を表示する表示手段と、
該表示手段に表示された、該画面の人物アイコンを選択する選択手段と、
該特定人物に対する通話、メールの機能がそれぞれに割り付けられた操作キーと、
特定人物の選択後に、該特定人物に対する通話、メールの機能がそれぞれに割り付けられた該操作キーが操作されることにより、該特定人物に対する通話、メールの機能が起動する起動手段と、
を備えたことを特徴とする電子機器。
【請求項２】
前記操作キーのそれぞれに割り付けられた機能には、通話発呼動作、電子メール送信動作、特定人物の情報一覧表示および特定人物のＵＲＬ表示の機能が含まれることを特徴とする請求項1に記載の電子機器。
【請求項３】
特定人物の人物アイコンが登録された画面を表示する表示ステップと、
該表示ステップで表示された、該画面の人物アイコンを選択する選択ステップと、
特定人物の選択後に、該特定人物に対する通話、メールの機能がそれぞれに割り付けられた操作キーが操作されることにより、該特定人物に対する通話、メールの機能が起動する起動ステップと、
を含むことを特徴とするメニュー項目選択方法。
【請求項４】
電子機器を、
特定人物の人物アイコンが登録された画面を表示する表示手段と、
該表示手段に表示された、該画面の人物アイコンを選択する選択手段と、
特定人物の選択後に、該特定人物に対する通話、メールの機能がそれぞれに割り付けられた操作キーが操作されることにより、該特定人物に対する通話、メールの機能が起動する起動手段として機能させるためのプログラム。
【発明の詳細な説明】
【技術分野】
【０００１】
本発明は電子機器とメニュー項目選択方法およびそのプログラムに係り、特に携帯電話機、パーソナルコンピュータ等の電子機器において操作画面上に表示されるメニューから特定のメニュー項目を選択するための機能を有するメニュー項目選択方法およびそのプログラムに関する。
【背景技術】
【０００２】
近年現在携帯電話機、パーソナルコンピュータ等の多機能電子機器、即ち、一つの機器で様々な機能を併せ持つ電子機器は多くの場合特定の人物に対して特定のアクションを行う機能を有する。即ち、携帯電話機であれば電話機能、パーソナルコンピュータであれば電子メール機能、更に最近ではこれらの機器の各々が電話機能、電子メール機能の両機能を併せ持つ構成を有する場合が多い。これら多機能電子機器において、機能の選択には、所謂メニューを利用する場合が多い。図１、（Ａ），（Ｂ），（Ｃ）はこのようなメニューの一例を示す。
【０００３】
図１、（Ａ），（Ｂ），（Ｃ）に示すメニューは携帯電話機の表示画面(ＬＣＤディスプレイ)に表示されるものの例であり、この例では、表示メニューは「メール機能」、「メモ機能」、「イメージ登録機能」、「着信メロディ登録機能」、「アドレス帳機能」、「目覚まし機能」を含む（図１、（Ａ））。このメニューを利用して所望の人物に対して特定のアクション、例えばＡさんに電話を掛けようとする場合、まず上記「アドレス帳機能」を示す「アドレス帳」ボタンを押下して同機能を起動させ、図１、（Ｂ）に示される「アドレス一覧」画面を表示させる。次にこのアドレス一覧からＡさんを選択し、「決定」ボタンを押下する。更にその後、所定の電話送信機能を起動させることによってＡさんへ電話を掛けることが可能となる。
【０００４】
このように、従来の技術では特定の人物に対して特定のアクションを起こそうとする場合にはまず機能メニューを表示させ、その中から該当機能を選択入力し、その後該当人物を選択入力し、更に該当アクションを起動させる操作が必要となる。ここで一般にこのようにアクションを起こす相手としての特定の人物はある程度限られている場合(数人程度)が多いのにもかかわらず、それらの人物に対してアクションを起こす場合にその都度上記の如くの多数の段階よりなる操作を経る必要がある。
【発明の概要】
【発明が解決しようとする課題】
【０００５】
本発明は上記問題点にかんがみ、しばしばアクションを起こすことが考えられる限られた特定の相手（人物）に対してアクションを起こす場合に、比較的簡易な操作でアクションを実施可能にする装置及び方法を提供することを目的とする。尚、ここで「アクション」とは、例えばある人物に電話を掛ける、メールを送信する、その人物の関連データを表示させる等、携帯電話機等を使用して行う行動全般を指す。
【課題を解決するための手段】
【０００６】
本発明は上記目的の達成のため、アクションを受ける特定の人物を表す情報をメニュー項目として登録可能とした。即ち、電子機器としての携帯電話機等を使用する場合、特定の人物との電話交信、メール交換等を行う場合が多く、その場合、操作者がアクションを行おうとする対象である特定の人物をまず頭に描くと考えられ、本発明のように特定の人物自体を現す情報をメニュー項目として登録しておくことにより、操作者が特に機能を認識する必要が無いため、使い勝手が良い動作環境を提供可能である。
【０００７】
又、このような人物をメニュー項目として登録することが可能であると共に、機能をもメニュー項目として登録することも可能とすることによって、使用者は、その使用形態に応じて任意のメニュー構成を登録可能となる。即ち、ある使用者が特定の人物として二人をメニュー項目として登録し、機能として３種の機能をメニュー項目として登録し、結果的に５アイテムのメニューを登録することも可能だが、逆にある使用者は６人の特定の人物をメニュー項目として登録し、機能はメニュー項目としては登録せず、合計６アイテムのメニューを登録することも又可能である。このように、個々の使用者の使用形態に柔軟に適用可能であり、或いは同じ使用者であっても時間の経過と共に使用形態が変化するような場合であってもやはり柔軟に適用可能なシステムを提供可能である。
【発明の効果】
【０００８】
本発明のように特定の人物自体を現す情報をメニュー項目として登録しておくことにより、操作者が特に機能を認識する必要が無いため、使い勝手が良い動作環境を提供可能である。
【０００９】
また個々の使用者の使用形態に柔軟に適用可能であり、或いは同じ使用者であっても時間の経過と共に使用形態が変化するような場合であってもやはり柔軟に適用可能なシステムを提供可能である。
【図面の簡単な説明】
【００１０】
【図１】（Ａ），（Ｂ），（Ｃ）は、従来の一例のメニュー項目選択の態様を説明するための図である。
【図２】本発明の一実施例によるメニュー項目選択動作の態様を概念的に説明するための図である。
【図３】本発明の一実施例によるメニュー項目選択方法を実施可能な携帯電話機の概略構成を示すブロック図である。
【図４】本発明の一実施例によるメニュー項目選択方法におけるメニュー表示動作の動作フローを示す図である。
【図５】本発明の一実施例によるメニュー項目選択方法で使用するメニュー構成ファイルの構成を示す図（その１）である。
【図６】本発明の一実施例によるメニュー項目選択方法で使用するメニュー構成ファイルの構成を示す図（その２）である。
【図７】本発明の一実施例によるメニュー項目選択方法で使用するアイコンデータファイルの構成例を示す図である。
【図８】（Ａ），（Ｂ），（Ｃ），（Ｄ）は、本発明の一実施例によるメニュー項目選択方法におけるメニュー項目登録の手順を説明するための図（その１）である。
【図９】（Ａ）、（Ｂ），（Ｃ），（Ｄ）は、本発明の一実施例によるメニュー項目選択方法におけるメニュー項目登録の手順を説明するための図（その２）である。
【図１０】（Ａ），（Ｂ），（Ｃ），（Ｄ）は、本発明の一実施例によるメニュー項目選択方法におけるメニュー項目登録の手順を説明するための図（その３）である。
【図１１】本発明の一実施例によるメニュー項目選択方法におけるメニュー項目選択動作のフローを示すフローチャート（その１）である。
【図１２】本発明の一実施例によるメニュー項目選択方法において使用される人物情報格納ファイルの構成例を説明するための図である。
【図１３】本発明の一実施例によるメニュー項目選択方法におけるメニュー項目選択動作のフローを示すフローチャート（その２）である。
【図１４】本発明の一実施例によるメニュー項目選択方法におけるメニュー項目選択動作のフローを示すフローチャート（その３）である。
【図１５】本発明の一実施例によるメニュー項目選択方法におけるメニュー項目選択動作のフローを示すフローチャート（その４）である。
【図１６】本発明の一実施例によるメニュー項目選択方法におけるメニュー項目選択動作のフローを示すフローチャート（その５）である。
【図１７】本発明の一実施例によるメニュー項目選択方法における実際のメニュー項目選択動作例を説明するための図（その１）である。
【図１８】本発明の一実施例によるメニュー項目選択方法における実際のメニュー項目選択動作例を説明するための図（その２）である。
【図１９】（Ａ），（Ｂ），（Ｃ）は、本発明の一実施例によるメニュー項目選択方法における実際のメニュー項目選択動作例を説明するための図（その３）である。
【図２０】（Ａ），（Ｂ），（Ｃ）は、本発明の一実施例によるメニュー項目選択方法における実際のメニュー項目選択動作例を説明するための図（その４）である。
【図２１】（Ａ），（Ｂ），（Ｃ）は、本発明の一実施例によるメニュー項目選択方法における実際のメニュー項目選択動作例を説明するための図（その５）である。
【図２２】（Ａ），（Ｂ），（Ｃ）は、本発明の一実施例によるメニュー項目選択方法における実際のメニュー項目選択動作例を説明するための図（その６）である。
【図２３】本発明を適用可能なノートブック型パーソナルコンピュータの斜視図である。
【図２４】本発明を適用可能なデスクトップ型パーソナルコンピュータの斜視図である。
【発明を実施するための形態】
【００１１】
以下図面を基に本発明の実施例の構成について説明する。
【００１２】
図２は、本発明の一実施例であるメニュー項目選択方法により、登録メニューを使用する態様を概念的に示す。この場合、携帯電話機を例に採って説明する。
【００１３】
図示の如く、本発明の一実施例によれば、メニューとして直接人物の顔写真を使用しており、もしこのメニュー画面中のＡさんの顔写真の項目が選択状態で、例えば「オフフック」キーが押下された場合には自動的にＡさんに対する電話発呼動作が起動され、「ｍａｉｌ」キーが押下された場合には自動的にＡさんに対する電子メール送信動作が起動され、「決定」キーが押下された場合には自動的に予め格納されている「Ａさん情報」が画面に表示される。
【００１４】
このように構成することにより、操作者は操作の対象を「機能」よりむしろ「人物」として認識できる。例えば上記の例の場合のようにＡさんに電話を掛けたい、もしくは電子メールを送信したいという場合、操作者の意識としては電話帳機能等の「機能」というより、むしろ「Ａさん」という人物に対する意識が中心となると考えられる。したがって、上記の本発明による構成の如く「人物」をメニューに加え、「人物」を選択することから操作を始められる構成とすることにより操作者の意識の動きにより近い操作手順となり、もってよりユーザーフレンドリーなマンマシンインタフェースを提供することが可能となる。なお、メニュー項目に登録された人物を画面表示する場合に実際にディスプレイ表示されるのはこの例の場合のように顔写真に限られず、その人物を識別可能なものであれが良く、例えば似顔絵、識別マーク、或いは単なるネームプレートの如くの構成としてもよい。
【００１５】
次に本実施例の一実施例の構成をより具体的に説明する。
【００１６】
図３は、本発明の一実施例によるメニュー項目選択方法を実施可能な携帯電話機２０の内部ブロック図を示す。
【００１７】
同携帯電話機２０は、基地局との信号の送受信を行うアンテナ１、アンテナ１で送受信する無線周波数信号を処理して音声信号及び画像信号に変換し或いはその逆の信号変換を行う無線送受信部２、ベースバンド処理部３及び音声入出力部９、更に音声信号の入出力を行うスピーカ１０及びマイク１１、画像信号の表示制御を行う表示制御部７、メインＬＣＤ（液晶表示装置、ディスプレイ）２１及びサブＬＣＤ２３，ユーザによる操作入力のための各種キーを含むメイン操作部２５及び背面キー２２よりなる入力操作部５、電話番号、メールアドレス、ＵＲＬ等各種情報の登録を行う登録部６ａ及び操作の履歴を保存する履歴部６ｂよりなるメモリ６、更に上記各部の各々を統合して管理制御する制御部４並びに後述する各種データが格納されるＲＯＭ４ａを含む。
【００１８】
ここで、この携帯電話機２０の入力操作部５のメイン操作部２５上の「メニュー」キーが操作者によって押下されると、上述の如く、図３のメインＬＣＤ２５の画面には、例えば図２の左端に示す如くの回転式メニューが表示される。図４はこのようなメニュー画面が表示されるまでの携帯電話機２０の動作フローを示す。
【００１９】
図４において、ステップＳ１で操作者により上記「メニュー」キーが押下されると、ステップＳ２にて制御部４はこの操作入力を受信してメニュー起動動作を実行する。具体的にはステップＳ３にて、まずメニュー構成取得動作を行う。即ち、制御部４はメモリ６の登録部６ａに予め格納されたメニュー構成ファイル６１(図５参照)からメニュー構成データを読み出す。
【００２０】
ここで、メニュー構成ファイル６１は、図５に示す如く、フォルダ単位に構成されており、各フォルダには、図示の如く、そのフォルダ自体を識別するフォルダ名を有し、更に、メニューとして表示される各メニュー項目としてのアイテムの登録数、並びに各アイテムの属性として、「機能」、「人物」及び「フォルダ」(子フォルダ)が登録される。そして、図示の如く、「機能」アイテムの場合、その機能を起動するためのプログラムの「起動プログラムＩＤ」、「機能名」及び、そのアイテムを画面に表示する際のアイコン画像の「アイコンＩＤ」が登録され、「人物」の場合、「人物名」及び、その人物の顔写真の「画像ＩＤ」が登録され、「フォルダ」の場合、「フォルダ名」及び、識別用「フォルダ番号」が登録される。尚、上記人物の顔写真の「画像ＩＤ」は後述する「人物情報格納ファイル」（メモリ６の登録部６ａに登録されている）に格納されている。
【００２１】
図６にその一例を示す。図示の如く、「トップメニュー」という名称のフォルダＦ１には、６アイテムが登録されており、その内訳は図示の如く、人物Ａさん、Ｂさん、Ｃさん（図２におけるメニュー項目ｍ１、ｍ２、ｍ３に夫々対応する）、機能としての「時刻表示」（同、ｍ４に対応する）、フォルダとしての「メールメニュー」（同、ｍ５に対応する）、及び機能としての「スケジュール帳」(同、ｍ６に対応する)である。更に上記フォルダ「メールメニュー」Ｆ２には、機能「メール作成」及び「受信メール一覧」の２アイテムが登録されている。
【００２２】
図４に戻り、ステップＳ４では、制御部４はメモリ６の登録部６ａから読み出した上記各フォルダについて分析する。即ち、ステップＳ５にて、フォルダに格納されている各アイテムの属性を判断する。その結果アイテムの属性が「機能」の場合、そのアイテム情報である上記「起動プログラムＩＤ」，「機能名」及び「アイコンＩＤ」を読み出し制御部４が内蔵するＲＡＭ内の所定アドレスに書き込む。次にステップＳ７にて制御部４は、上記アイコンＩＤで識別されるアイコンに関し、まずアイコンデータファイル６２(図７参照)からアイコン格納先及びアイコンファイル名を読み出し、それら読み出し情報に従って該当アイコンの情報(画像情報)を取得してメニュー画面上にメニュー項目（ｍ４、ｍ６）として表示する(ステップＳ１２)。
【００２３】
又、ステップＳ５にてアイテム属性が「人物」の場合、ステップＳ８にて、メニュー構成ファイル６１から上記「人物名」及び「画像ＩＤ」を読み出して上記ＲＡＭ内の所定のアドレスに書き込む。次にステップＳ９では、上記画像ＩＤにて識別される画像情報について、まず上記「人物情報格納ファイル」から格納先及び対応する画像ファイルに関する情報を読み出し、それらの情報にしたがってＲＯＭから該当画像情報を読み出し、やはりメニュー画面にメニュー項目（ｍ１、ｍ２、ｍ３）として表示する（Ｓ１２）。
【００２４】
又、アイテム属性が「フォルダ」(子フォルダ)の場合、「フォルダ名」(子フォルダ名)をＲＡＭに書き込み(ステップＳ１０)、フォルダアイコンの画像をＲＯＭから読み出してメニュー画面にメニュー項目（ｍ５）として表示する（Ｓ１２）。
【００２５】
このようにして図２の左端に示す如くのメニュー画面が表示制御部７を介してメインＬＣＤ２１上に表示される。
【００２６】
次に図８乃至図１０に基づいて、本発明の一実施例のメニュー項目選択方法に則ったメニュー登録動作について説明する。
【００２７】
まず、上記携帯電話機２０のメイン操作部２５によって操作者が所定のメニュー登録起動操作入力を行うと、メインＬＣＤ２１に図８、（Ａ）に示す如くの初期画面が表示される。この状態で表示されている「人物登録」項目を選択する操作を行うと、図８、（Ｂ）に示す如くの「アドレス帳選択リスト」が表示される。更に操作者は、例えばこの表示リスト中の「Ａさん」を選択操作すると、図８、（Ｃ）に示す如くのＡさんの顔写真が表示される。この顔写真の表示は、制御部４がＲＯＭ中に格納された所定の画像表示プログラムを実行することによって上記「人物情報格納ファイル」を使用して該当する画像ファイルＩｍａｇｅＮｏ．２(図６参照)をＲＯＭから読み出すことによって実行される。このようにして、人物「Ａさん」のメニュー登録が完了する。その結果、図８、（Ｄ）に示される如く、上記メニュー構成ファイル６１には、フォルダＦ１（トップメニュー）としてＡさんの名前と、上記該当する顔写真画像ファイルＩＤが登録される。
【００２８】
次に、「機能」アイテムを登録する場合、図９、（Ａ），（Ｂ），（Ｃ），（Ｄ）に示す如く、「機能登録」項目を選択操作することによって（図９、（Ａ））、図９、（Ｂ）に示す「機能選択リスト」が表示され、その中から「スケジュール帳」項目を選択操作することによって「スケジュール帳」機能の登録が完了し、その結果同図９、（Ｄ）に示す如く、上記メニュー構成ファイル６１には、フォルダＦ１（トップメニュー）の次のアイテムとして、該当する上記機能起動用プログラムＩＤ，機能の名前、及び該当する上記アイコンＩＤが登録される。
【００２９】
同様に「フォルダ」アイテムを登録する場合、図１０、（Ａ），（Ｂ），（Ｃ），（Ｄ）に示す如く、「フォルダ登録」項目を選択操作することによって（図１０、（Ａ））、図１０、（Ｂ）に示す「フォルダ名設定」画面が表示され、そのボックス中に所望のフォルダ名をキー入力操作することによって、「フォルダ」機能の登録が完了し、その結果図１０、（Ｄ）に示す如く、上記メニュー構成ファイル６１には、フォルダＦ１（トップメニュー）の更に次のアイテムとして、フォルダの名称、及び該当するフォルダ番号が登録される。
【００３０】
尚、上記携帯電話機の各機能を起動するためのプログラム、各アイテムを画面に表示する際に使用されるアイコン画像の「アイコンＩＤ」，「アイコンデータファイル」、「アドレス帳選択リスト」、「機能選択リスト」、「フォルダ名設定」画面、等のデータは図３に示すＲＯＭ４ａに格納されており、必要に応じて制御部４が読み出す。
【００３１】
次に図２で示す如くのメニュー画面が表示された状態（図４、図１１のステップＳ１２）から実際に所望のアクションを起こす場合の携帯電話機２０の制御部４の動作について説明する。
【００３２】
まず、図１１のステップＳ２１にて、メイン操作部２５上のキー操作入力を判定する。その結果、「決定」キーが押下された場合、図１３のステップＳ３１にて、その際選択状態にあったアイテム（メニュー項目）の属性を判断する。その結果、そのアイテムが「人物」であった場合（例えばＡさん）、ステップＳ３２にて、その人物に関する情報を「人物情報格納ファイル」から読み出す。なお、この人物情報格納ファイルは、例えば図１２に示す如く、各人物ごとに、その名前、電話番号、メールアドレス、ＵＲＬ，顔写真画像ファイルＩＤ等を登録しておくものであり、メモリ６の登録部６ａに格納されている。この人物情報格納ファイルは、携帯電話機２０に対して操作者がメイン操作部２５を操作することによって予め登録しておくものである。図１３に戻り、ステップＳ３３にて、そのようにして取得された特定人物の各種情報を基に、それらの情報に関連する機能(アクション)を判断し、一覧表示する。例えば図１７に示す如く、Ａさんの個人情報として携帯電話の電話番号、自宅の電話番号、携帯電話のメール番号が含まれている場合にそれらに対するアクションをリストアップして表示する。操作者はその中から所望のアクションを選択することにより制御部４はその選択操作に応じた実際のアクションを実行する。図１７の例の場合、「携帯に電話する」が選択ざれたため、Ａさんの携帯電話の電話番号に対する発信動作が実行される。なお、図１７に示す例に限られず、例えばその人物に関するＵＲＬのリストを表示するなど、任意のアクションを設定可能である。
【００３３】
ステップＳ３１にて、アイテム属性が「機能」であった場合、その該当するフォルダの項目として登録されている上記機能起動プログラムを起動する(ステップＳ３４)。
【００３４】
ステップＳ３１にてアイテム属性が「フォルダ」(子フォルダ)であった場合、該当するフォルダの内容を解析して該当するメニューを表示する（図６の例の場合、「メール作成」及び「受信メール一覧表示」の２項目を表示）。
【００３５】
又、ステップＳ２１にて、「オフフック」キーの押下の場合、図１４のステップＳ４１にて、キー押下の際に選択状態にあったアイテムの属性を判断し、その結果が「人物」でなかった場合には有効なキー操作でないと判断されるためステップＳ２１に戻り、次のキー操作を待つ。
【００３６】
ステップＳ４１にてアイテム属性が「人物」であった場合、その特定人物の電話番号を図１２の人物情報格納ファイルから読み出し、登録電話番号の数が１件か否かを判断する(ステップＳ４２)。その結果が２件以上であった場合、ステップＳ４３にてその特定人物に対して登録されている電話番号の一覧をメインＬＣＤ２１に表示する。図１８の最上部のフロー及び図１９、（Ａ），（Ｂ），（Ｃ）は、その場合の動作フローを示す。即ち、図１９、（Ｂ）の如くのリストが表示され、その状態で所望の電話番号の選択操作を行うことにより(図示の場合、Ａさんの携帯電話の電話番号が選択されている状態)、Ａさんの携帯電話に対する発信機能の起動がなされる。ステップＳ４２の判断の結果、登録電話番号が一件であった場合、その電話番号に対する発信機能を起動する。その結果、ベースバンド処理部３、無線送受信部２を介して基地局に対して電波が発信され、該当電話番号に対する発呼動作が行われる。
【００３７】
又、ステップＳ２１にて、「ｍａｉｌ」キーの押下の場合、図１５のステップＳ５１にて、キー押下の際に選択状態にあったアイテムの属性を判断し、その結果が「人物」でなかった場合には有効なキー操作でないと判断されるためステップＳ２１に戻り、次のキー操作を待つ。
【００３８】
ステップＳ５１にてアイテム属性が「人物」であった場合、その特定人物のメールアドレスを図１２の人物情報格納ファイルから読み出し、登録メールアドレスの数が１件か否かを判断する(ステップＳ５２)。その結果が２件以上であった場合、ステップＳ５３にてその特定人物に対して登録されているメールアドレスの一覧をメインＬＣＤ２１に表示する。図１８の上から二段目のフロー及び図２０、（Ａ），（Ｂ），（Ｃ）は、その場合の動作フローを示す。即ち、図２０、（Ｂ）の如くのリストが表示され、その状態で所望のメールアドレスの選択操作を行うことにより(図示の場合、Ａさんの携帯電話のメールアドレスが選択されている状態)、Ａさんの携帯電話のメールアドレスがこれから送信しようとしている電子メールの送信先として設定される。ステップＳ４２の判断の結果、登録メールアドレスが一件であった場合、そのメールアドレスを送信しようとしている電子メールの送信先として設定する。そして、ステップＳ５５にて、ベースバンド処理部３、無線送受信部２を介して基地局に対して電波が発信され、該当メールアドレスに対する発信動作が行われる。
【００３９】
又、ステップＳ２１のキー判定の結果、「○○キー」の押下であった場合、図１６に示す動作を実行する。この場合、○○キーとはその人物に関して登録されている全ての情報を指定するためのキーであり、その際には、図１６のステップＳ６１にて、キー押下の際に選択状態にあったアイテムの属性を判断し、その結果が「人物」でなかった場合には有効なキー操作でないと判断されるためステップＳ２１に戻り、次のキー操作を待つ。
【００４０】
ステップＳ６１にてアイテム属性が「人物」であった場合、その特定人物に関して登録されている全情報を図１２の人物情報格納ファイルから読み出し、その情報の登録数が１件か否かを判断する(ステップＳ６２)。その結果が２件以上であった場合、ステップＳ６３にて、その特定人物に対して登録されている全情報の一覧をメインＬＣＤ２１に表示する。図１８の上から三段目のフロー及び図２１、（Ａ），（Ｂ），（Ｃ）は、その場合の動作フローを示す。即ち、図２１、（Ｂ）の如くのリスト（この例の場合、Ａさんの個人情報リスト）が表示され、その状態で所望の情報の選択操作を行うことにより(図示の場合、項目「ＡＢ」が選択されている状態)、Ａさん個人のアドレス帳の内訳が表示される。
【００４１】
更に、上記の例に限られず、例えば「ｉモードキー」の押下の場合に図２２、（Ａ），（Ｂ），（Ｃ）に示す如くＡさんに関連するＵＲＬのリストを表示し、所望のＵＲＬの選択操作によって該当するホームページを表示する等、任意の機能／アクションを設定可能である。
【００４２】
このように本発明によれば、人物を表す情報をメニュー項目として登録可能なため、操作者は特定の人物に対するアクションを起こそうとした場合に、操作者の思考の流れに沿った動作を提供できる。そのため、ユーザーフレンドリーな電子機器を提供可能であり、特定の人物に対するアクションを行おうとする場合に簡易且つ円滑な操作で行うことが可能となる。
【００４３】
なお、上記の如くメニュー登録可能な対象としての特定の人物は、上記の例のように特定の「個人」の場合に限られず、特定の組織、即ち会社、役所等、「法人」、あるいは識別可能であれば何でも良く、単なる「組織」でも可である。
【００４４】
更に、本発明は携帯電話機に限られず、例えば図２３、図２４に示す如くのノートブック型パーソナルコンピュータ、デスクトップ型パーソナルコンピュータ等、単独の電子機器で複数の機能（あるいは単独の機能と複数の人物等でも可）を併せ持ち、それらをメニュー形式或いはそれに類する手法で表示し、それを見てユーザが所望の機能又は人物等を選択する構成の電子機器に広く適用可能である。
【００４５】
本発明は以下の付記に記載の構成を含む。
(付記１)
所定の複数の項目よりなるメニューから所望の項目を選択するための装置であって、
上記複数の項目の各項目として特定の人物を表す情報を登録する手段よりなる装置。
(付記２)
更に上記複数の項目の各項目として所定の機能を登録する手段よりなる付記１に記載の装置。
(付記３)
上記特定の人物は、交信動作を行う相手である付記１又は２のいずれかに記載の装置。
(付記４)
上記特定の人物は、情報の送信動作を行う相手である付記１乃至３のいずれかに記載の装置。
(付記５)
上記特定の人物は、それに関する情報の表示を行う対象である付記１乃至４のいずれかに記載の装置。
(付記６)
上記メニューは携帯電話機の表示装置に表示し、上記特定の人物は携帯電話機の前記機能動作の実施を受ける対象である構成の付記１乃至５のいずれかに記載の装置。
(付記７)
上記メニューはパーソナルコンピュータの表示装置に表示し、上記特定の人物は、前記パーソナルコンピュータが有する機能動作の実施を受ける対象である構成の付記１乃至６のいずれかに記載の装置。
(付記８)
所定の複数の項目よりなるメニューから所望の項目を選択するための方法であって、
上記複数の項目の各項目として特定の人物を表す情報を登録する段階よりなる方法。
(付記９)
更に上記複数の項目の各項目として所定の機能を登録する段階よりなる付記８に記載の方法。
(付記１０)
上記特定の人物は、交信動作を行う相手である付記８又は９に記載の方法。
(付記１１)
上記特定の人物は、情報の送信動作を行う相手である付記８乃至１０のいずれかに記載の方法。
(付記１２)
上記特定の人物は、それに関する情報の表示動作の対象である付記８乃至１１のいずれかに記載の方法。
(付記１３)
上記メニューは携帯電話機の表示装置に表示し、上記特定の人物は携帯電話機の前記機能動作の実施を受ける対象である構成の付記８乃至１２のいずれかに記載の方法。
(付記１４)
上記メニューはパーソナルコンピュータの表示装置に表示し、上記特定の人物は前記パーソナルコンピュータが有する機能動作の実施を受ける対象である構成の付記８乃至１３のいずれかに記載の方法。
【符号の説明】
【００４６】
４  制御部
５  入力操作部
６  メモリ
６ａ  登録部
６ｂ  履歴部
７  表示制御部
【図１】
2010051005.tif 000003
【図２】
2010051005.tif 000004
【図３】
2010051005.tif 000005
【図４】
2010051005.tif 000006
【図５】
2010051005.tif 000007
【図６】
2010051005.tif 000008
【図７】
2010051005.tif 000009
【図８】
2010051005.tif 000010
【図９】
2010051005.tif 000011
【図１０】
2010051005.tif 000012
【図１１】
2010051005.tif 000013
【図１２】
2010051005.tif 000014
【図１３】
2010051005.tif 000015
【図１４】
2010051005.tif 000016
【図１５】
2010051005.tif 000017
【図１６】
2010051005.tif 000018
【図１７】
2010051005.tif 000019
【図１８】
2010051005.tif 000020
【図２３】
2010051005.tif 000021
【図２４】
2010051005.tif 000022
【図１９】
2010051005.tif 000023
【図２０】
2010051005.tif 000024
【図２１】
2010051005.tif 000025
【図２２】
2010051005.tif 000026